(57)【要約】本発明は、同封されるべき文書と一緒に封筒の作成を統合し、高生産速度を可能とする同時に、閉じ込みの完全性と守秘性を確保するとともに全体コスト単価を低減する完璧な方案を提供する個々の唯一の郵便物封書の方法に関する。郵便物封書（１００）の作成機械（１）には、特に、裏付けのある順番で連続して各封筒が含まれるべき文書に先行するかあるいは後に続く、同封される文書（１３）と該文書（１３）の同封に充てられる封筒（１４）の一般ロール紙（１０）上の印刷に充てられる印刷装置（２）、前記文書（１３）の適切な幅と同時に封筒（１４）の折り返し（１６）の形成に充てられる長手方向切断装置（３）、これらを適切な長さにすることによって文書（１３）とこれに対応する封筒（１４）の分離に充てられる横方向切断装置（４）、文書（１３）の対応する封筒（１４）との組合せ装置（７、８）、出来上がった郵便物封書（１００）の閉じ込み用の糊付けおよび折り込み装置（９）、ならびに作成さるべき郵便物封書の文書と封筒の数と様式に基づき切断装置を制御する中央制御装置が含まれる。本発明は、定型、業務処理、混合郵便物といった郵便物バッチ処理に適用可能である。【選択図】図１
2009502668.tif 000002
【特許請求の範囲】
【請求項１】
折込み文書の同封に充てられる各封筒が該文書に先行するかまたはこれの後を追い、該文書（１３）と該封筒（１４）の印刷が同一材料（１０,１０'）ロール上で折込み順番に順次実行され、文書（１３）を適切な幅にすると同時に封筒（１４）の折り返し部が形成されるように材料（１０,１０’）ロールの長さ方向縁が切断され、該材料（１０,１０’）ロールは文書（１３）と封筒（１４）が適切な長さとなって相互に分離されるよう横方向に切断され、該文書（１３）がこれらに対応する封筒（１４）に組み込まれて得られる郵便物封書（１００）に閉封されると同時に、作成郵便物封書の封筒と文書の数と様式に応じて少なくとも切断段階に案内される、各郵便封書（１００）が、文書と封筒の数と様式が封書から封書へと連続して変動可能である少なくとも１つの印刷文書（１３）と１枚の印刷封筒（１４）からなる、特に、紙等のロール材料（１０,１０’）から郵便物封書が閉じられるまでの郵便物封書（１００）の作成方法。
【請求項２】
文書と封筒の印刷段階がその他の切断、組合せおよび閉封の段階とは別に行われる不連続処理が形成されることを特徴とする請求項１による方法。
【請求項３】
文書と封筒の印刷段階が、その他の切断、組み込み、ならびに閉封の段階と連続的に行われる連続処理が形成されることを特徴とする請求項１による方法。
【請求項４】
同一ロール材料（１０'）上に文書（１３）と封筒（１４）の平行な２本の帯（１１,１１'）が印刷されることを特徴とする請求項１による方法。
【請求項５】
組合せ段階以前に封筒（１４）の文書（１３）が２本の別々の回路に分離されることを特徴とする請求項１による方法。
【請求項６】
同一封筒（１４）内に同封されるよう仕向けられる文書（１３）が束状に積み重ねられることを特徴とする請求項５による方法。
【請求項７】
組合せ段階で、１つまたは複数の文書（１３）が対応する封筒（１４）に重ねられること、ならびに文書と封筒が同時に折り込まれることを特徴とする請求項６による方法。
【請求項８】
同一封筒（１４）に同封されるよう仕向けられる１つまたは複数の文書（１３）が封筒の様式で折り込まれることを特徴とする請求項６による方法。
【請求項９】
組合せ段階で、対応する封筒（１４）に折り込まれる１つまたは複数の文書（１３）が重ねられることならびに該封筒（１４）が文書（１３）の周囲で折り込まれることを特徴とする請求項８による方法。
【請求項１０】
追加文書（１８,１９）が別々に準備されて文書（１３）および封筒（１４）に重ねられることを特徴とする請求項５乃至請求項９までの任意の請求項による方法。
【請求項１１】
同封されるべき折込み文書の同封に充てられる各封筒が該文書に先行されるかまたはこの後を追い、該文書（１３）と該封筒（１４）を同一ロール材料（10）上で折込み順番に順次印刷するために設置される少なくとも１台の印刷装置（２）、前記文書（１３）を適切な幅にすると同時に封筒（１４）の折り返し部（１６）を形成するために設置される長さ方向切断装置（３）、文書（１３）と封筒（１４）を分離してこれらを適切な長さにするため設置される横方向切断装置（４）、文書（１３）と対応する封筒（１４）との組合せ装置（７,８）、入手郵便物封書（１００）の閉封のための糊付け折畳み装置（９）、ならびに作成郵便物封書の文書と封筒の数と様式に応じた少なくとも切断装置の案内用に設置される中央制御装置が含まれることを特徴とする請求項１から請求項１０までの任意の請求項による作成方法が実行される、各郵便物封書（１００）が少なくとも１つの印刷文書（１３）と１枚の印刷封筒（１４）からなり、文書および封筒の数と様式がある封書から別の封書まで次々と変動可能である特に紙または同様のロール材料（１０）から郵便物封書が閉封されるまでの郵便物封書（１００）の作成機械（１）。
【請求項１２】
印刷装置（２）が断続的作成機械を形成するその他の装置と分離されていることを特徴とする請求項１１による機械。
【請求項１３】
印刷装置（２）が連続的作成機械を形成するその他の装置と統合されるとともにラインをなしていることを特徴とする請求項１１による機械。
【請求項１４】
組合せ装置に、封筒（１４）の文書（１３）を２つの別々のアクキュムレーション回路（７１,７２）に分離すると同時に該文書（１３）を積み重ねて対応する封筒（１４）に組み込むために設置される少なくとも１台のアキュムレーター装置（７）が含まれることを特徴とする請求項１１による機械。
【請求項１５】
アキュムレーター装置（７）が同一封筒（１４）内に同封されるよう仕向けられる文書（１３）を束に積み重ねるための設置されることを特徴とする請求項１４による機械。
【請求項１６】
組合せ装置に文書（１３）と封筒（１４）の同時折込み用の少なくとも１台の折込み装置（８）が含まれることを特徴とする請求項１４または請求項１５による機械。
【請求項１７】
アキュムレーター装置（７）に前記文書（１３）の封筒様式への折込み用に設置される折畳み装置（７３）が含まれること、ならびに、組合せ装置に前記折込み文書（１３）の封筒（１４）周囲の折込み用に設置される少なくとも１台の折込み装置（８）が含まれることを特徴とする請求項１４または請求項１５による機械。
【請求項１８】
文書（１３）とこれらに対応する封筒（１４）への少なくとも１つの追加文書の追加用に設置される別に準備される追加文書（１８,１９）の少なくとも１ヶ所の貯蔵庫（８１,８２）が含まれることを特徴とする請求項１１による機械。
【請求項１９】
閉封された郵便物封書（１００）の切手貼り装置、閉封された郵便物封書（１００）の完全性チェック装置が含まれる集団の中から選択される少なくとも１台の追加装置が含まれることを特徴とする請求項１１による機械。
【発明の詳細な説明】
【技術分野】
【０００１】
本発明は各封書が少なくとも１つの印刷文書と１枚の印刷封筒から構成されるとともに、文書の数と様式と封筒の様式が封書から封書への次々と変動可能である機械によりこの方法が実施される、特に紙等の材料ロールをもとに郵便物封書が閉鎖されるまでの郵便物封書の作成方法に関するものである。
【背景技術】
【０００２】
多少とも自動化された郵便物封書の作成機械が大量の郵便物の作成、すなわち、日に数千の発送物を目前にする企業に広く普及している。これは特に銀行、保険会社、公共機関、通信販売会社、郵便物区域別仕分け会社等の場合である。「取引郵便物」または「混合郵便物」の「区域別仕分け」のことが一般に話題にされる。「区域別仕分け」の場合には、発送文書は提供される１広告会社については一様であると同時に、一般的に宛先人の識別とともに特定化される。「取引郵便物」については、各封書は唯一であり、同封文書は、例えば、口座写し、請求書、保険証券等のように各宛先人につき私的でありかつ内密なものである。「混合郵便物」の場合には、出版物や郵便物送付会社を経由するインターネットネットワークを通じる内容物が当事者自身により生み出される限り各封書は唯一のものである。
【０００３】
日常的に行われる方法では、送付資料は、発送人の識別情報、そのロゴ、宛先人の識別情報、本文、表および/または画像等がロール紙上に印刷される。紙ロールは展開され、レーザー、インクジェット、オフセット等の既知のあらゆる連続的印刷手段により印刷され、その後、ロールに再度巻き取られる。印刷された紙ロールは、その後、折込み文書の形成のため、ロール紙を横方向に、例えばＡ４様式の、紙片状態に切断する切断折込み機械に供給される。封書を構成する別々の紙片が再度グループ化された後挿入ステーションに発送される。平行して、装填庫に貯蔵される封筒が挿入ステーションまで発送される。これらの封筒は別々に作成された後、発送者の識別情報およびそのロゴが印刷される。文書に印刷される宛先人の識別情報が見えるようにする窓付き封筒や、宛先人の識別用の特別なラベルが必要とされる窓無し封筒のことである。挿入ステーションでは、封筒は封筒様式に前もって折り込まれた１つまたは複数の文書を差し込むために開かれる。封筒はその後、閉じられ、糊付けされ、切手が貼られる。こうして作成される郵便物封書はその後、発送までに斜め平行か又は縦に出荷コンベヤー上に置かれる。郵便物封書は、挿入ステーションに提供する付加貯蔵庫に多数印刷され、貯蔵されるパンフレットその他の広告文書のようにあらゆるタイプの追加文書の追加が可能である。郵便物発送の追跡を可能にするために封筒に番号、バーコード等の印刷によりコード化体系を追加することも可能である。
【０００４】
現在の技術は、発送準備が整った閉封郵便物封書の作成のため、すなわち、一方で発送文書の、他方で封筒の、準備と再組み込みのために行われる準備操作種類の数を挙げるかぎり最適とはいえない。さらに、こうして作成される封書の完全性の保証は不可能であり、諸文書は必ずしも良好とはいえない封筒に挿入され、この点により守秘性の問題が提起される。
【０００５】
ある技術により折込み順番に次々に連続する文書と封筒の印刷が提案されるが、得られる郵便物封書は、米国特許US 4,071,997 、US 4,189,895 、 US 2003/0222127の公開文書におけるように、すべて同様である。同封文書の数に限らず様式についても同じ様に相互に異なる単独郵便物折込み封書の作成は既存のどの方法でも可能ではない。  
【０００６】
結局、今日、個別に特定化される唯一の郵便物封書の作成が可能であって、紙ロールから閉封郵便物まで及ぶ完全な方案が提案される郵便物封書の作成方法は、どこにも存在しない。
【特許文献１】US 4,071,997
【特許文献２】US 4,189,895
【特許文献３】US 2003/0222127
【発明の開示】
【発明が解決しようとする課題】
【０００７】
本発明は封筒の作成から文書の作成までを統合する紙ロールから閉封封書に至る完全な方案が提供できるような個別化された唯一の郵便物封書の作成方法を提案して、従来の不都合を軽減することを目的としており、これにより現状作業速度の高速化、作成される封書の完全性および守秘性の保証と同時に、これらの郵便物封書の全体コスト単価の削減が可能となる。
【０００８】
この目的において、本発明は、同封されるべき折込み文書の同封に充てられる各封筒は該文書に先行されるかあるいはその後を追い、折込み順番に連続して同一ロール材料上で該文書ならびに該封筒が印刷され、文書を適切な幅にすると同時に封筒の折り返しの形成のために長手方向にロール材料の縁が切断され、文書と封筒とが適切な幅となって相互に分離されるようロール材料が横方向に切断され、文書が対応する封筒に組入れられ、こうして得られる郵便物封書が閉封されるとともに、作成郵便物封書の文書と封筒の数と様式に応じて少なくとも切断段階に案内される序文に指摘されたジャンルの作成方法に関する。
【０００９】
文書と封筒の印刷段階の実施はその他の段階と別にまたは非連続的な方法で可能である。
【００１０】
２列生産用に平行な２本の帯の文書と封筒が同一ロール材料上に印刷可能である。
【００１１】
組合せ段階前に、封筒の文書は別々の２回路に分離されると同時に、同一封筒に同封されるよう仕向けられる文書は束に積み重ねられると都合が良い。
【００１２】
組合せ段階では、対応する封筒に１つまたは複数の文書が重ねられると同時に、これらが同時に折込まれるかまたは、まず、最初に封筒の様式に折込まれて１つまたは複数の文書が同一封筒に含まれるよう仕向けられた後、折込み文書の周囲に封筒が折り込まれる。
【００１３】
別に準備される複数追加文書を文書または封筒に重ねることも可能である。
【００１４】
この目的でも、本発明は次の装置が含まれることを特徴とする序文で指摘された類の作成機械に関する。すなわち、折込み文書とこれらの文書を折込みの順番に次々に同封するよう仕向けられる各封筒が、該封筒に含まれるべき文書に先行するかあるいはその後を追う封筒の印刷用に設置されて同一ロール材料上の印刷用に設置される少なくとも１台の印刷装置、前記文書の適切な幅ならびに封筒の折り返しの形成用に設置される長手方向切断装置、該文書と該封筒を適切な長さにしてこれらを分離するために設置される横方向切断装置、該文書のこれらに対応する封筒への組合せ装置、得られた郵便物封書を閉じこむための折畳み糊付け装置、ならびに、作成するべき郵便物封書の文書の数と様式および封筒の様式に応じて少なくとも切断装置に案内するために設置される中央制御装置である。
【００１５】
印刷装置はその他の装置と分離されるかあるいはその逆にその他の装置とライン状に組合せ可能である。
【００１６】
組合せ装置には、封筒の文書の別々の２つのアキュムレーション回路への分離ならびにこれらに対応する封筒上への文書の積み重ねにより組合せるため設置される少なくとも１台のアキュムレーター装置が含まれるのが好ましい。複数の文書が同一封筒に同封されるよう仕向けられる場合にはこれらは前もって束状に積み重ねられる。
【００１７】
第１変型実施例によると、組合せ装置には文書と封筒を同時に折り込むために設置される少なくとも１台の折込み装置が含まれる。
【００１８】
第２変型実施例によると、アキュムレーター装置には封筒の様式に前記文書を折り畳むために設置される少なくとも１台の折畳み装置が含まれる同時に、組合せ装置には前記折込み文書の周囲で封筒を折り込むため少なくとも１台の折込み装置が含まれる。
【００１９】
折込み装置には文書ならびにこれらが含まれる封筒に追加する少なくとも１つの追加文書用に設置される別に用意される追加文書の少なくとも１ヶ所の貯蔵庫が含まれる。
【００２０】
作成機械には閉じ込まれる郵便物封書の切手貼り装置、完全性チェック装置その他の追加が可能である。
【発明を実施するための最良の形態】
【００２１】
図を参照すると、本発明による郵便物封書１００の作成機械１は、主として次のような作業から構成される新たな作成方法の実施のために考案された。すなわち、
a)折込み文書１３とこれらの文書の同封に仕向けられる封筒１４の数と様式が封書から封書へと次々に変動可能で、各封筒１４が同封されるべきこれらの文書１３に先行するかあるいはこれらの後を追う、折込みの順番に連続する同一ロール材料１０特にロール紙等上での該文書１３と該封筒１４の印刷、
b)文書１３を適切な幅にするためと封筒１４の横方向折り返し１６を形成するためのこのロール材料１０の長手方向縁の切断、
c)文書１３と封筒１４を、封筒１４の長さとは異なってもよい文書１３の長さを適切な長さにしてこれらを相互に分離するためのロール材料１０の横方向切断、
d)その対応する封筒１４と文書１３の組合せ、
e)こうして得られる郵便物封書１００の発送準備に向けた閉じこみ、並びに
f)作成される郵便物封書の文書と封筒の数と様式に応じた少なくとも切断段階の運転
である。
【００２２】
各郵便物封書１００は少なくとも１つの例えばＡ４様式の紙片形態の印刷文書１３と１１０ｘ２２０様式の例えば、１６２ｘ２２９またはその他任意形式の封筒１４から構成される。
【００２３】
この目的から、この作成機械１には少なくとも次の作業区域が含まれる。すなわち、展開される紙ロール１０上に事前に定義される順番で連続して文書１３と封筒１４が白黒だけでなくカラーでも印刷される印刷区域Ａ、
異なる寸法の文書１３と封筒１４を所要様式の幅と長さにする切断区域Ｂ、
１つまたは複数の文書１３が対応する封筒１４と組合せられると同時にこれらが同時または別々に折込まれる組合せ区域Ｃ、
横方向折り返し１６と封筒１４の閉じ込み部１７が糊付けされると同時にこれらを文書１３の周囲で封筒１４を閉じるために再度折込む閉じ込み区域Ｄ、
閉じ込まれる郵便物封書１００が発送まで貯蔵され、チェックされおよび/または切手貼りされる貯蔵区域Ｅ、
ならびに、作成郵便物封書の文書と封筒の数と様式に応じて少なくとも切断段階に案内するために設置される中央制御装置（図示されず）である。
【００２４】
印刷区域Ａには特に、リール（図示されず）により支持される真新しいロール紙が供給されると同時に、印刷済紙ロール１０が切断区域Ｂに引き渡される印刷装置２が含まれる。この印刷装置２は、例えば、白黒またはカラーのレーザー、インクジェット、オフセット等の印刷技術をベースとして知られるタイプのものである。この印刷装置２は残りの作成機械１と切り離すことができるか、あるいは逆に図示例におけるように一体化できる。これが切り離される場合には印刷済紙ロール１０は当該切断区域Ｂに供給するため巻取り機により再度元通りのロール状態にされる。
【００２５】
切断区域Ｂには長手方向切断装置３ならびに横方向切断装置４が含まれる。これには切込み装置５と吸入装置６が追加される場合がある。
【００２６】
長手方向切断装置３には、主に、対応部品（図示されず）と協働する２つの切断工具30が含まれ、これはロール紙１０の両側に配置されるとともに、ロール紙１０の長手方向縁またはへり部を切り取り、紙の帯１１を形成し、文書１３が適切な幅とされると同時に、文書１３の幅を越える封筒１４の横方向折り返し１６が作られるために設置される。その結果、この紙帯１１は、真っ直ぐでも同じものの繰り返しでもない、同一繰り返しでなく変動可能な長さ方向の外形１２、つまり、郵便物封書１００ごとに変動可能である文書１３および/または封筒１４の数とサイズにより定められる。長さ方向切断装置３は切断外形１２に応じて運転される中央制御装置により制御され、封筒１４の切断幅は文書１３のものとは異なり、これらの切断幅も同様に郵便物封書ごとに変動しうる。
【００２７】
図２Ａにより２枚の封筒１４と３つの文書１３とが含まれる帯１１が切り取られるロール紙１０の第１例が示される。図２Ｂでは相互にずらされたそれぞれ２枚の封筒１４と３つの文書１３、その適当な外形１２、１２'を有する各帯１１、１１'が含まれる２本の帯１１、１１'が切り取られる２列ロール紙１０'の第２例が示されている。２列の紙ロール１０'の場合には、長手方向切断装置３は切込み５と吸入６の装置も倍にされる。
【００２８】
横方向切断装置４には主として組合せ区域Ｃへの供給用に封筒１４と文書１３の分離のために設置される対応ロール４１と協働する刃付き回転ロール４０またはその他類似の切断工具が含まれる。横方向供給装置４は切り取るべき様式に応じて案内する中央制御装置により制御され、封筒１４の切断長さは文書１３の長さとは異なり、これらの切断長さも同様に郵便物封書ごとに異なりうる。
【００２９】
長手方向切断装置３の上流側に位置する切込み装置５には、主に、ロール紙１０の両側に配置されると同時に、その後の折畳み操作を簡単にする封筒１４の横方向折り返し１６を事前折り目１５として印を付けるために設置される対応部品５１あるいはその他のあらゆる類似装置と協働する２枚のディスク５０が含まれる。
【００３０】
吸入装置６には主に長手方向切断装置３により発生する紙の切り屑の中央吸入装置（図示されず）を経由した貯蔵容器に向けた自動排出用に切断工具３０近傍に配置される吸入導管６０が含まれる。
【００３１】
印刷Ａおよび切断Ｂの区域には、良好な精度の切断の保証を可能とする引張り具合とロール紙１０の位置決め制御のために設置される回転展開装置が追加されるのは勿論である。
【００３２】
組合せ区域Ｃには特に折り込み装置８後に続くアキュムレーター装置７が含まれる。
【００３３】
アキュムレーター装置７には、主に、文書１３を封筒１４から分離すると同時に、それらをアキュムレーション回路の方にそれぞれ向けるために設置される選別面７０により提供される切り離しと積み重ねが行われる２つのアキュムレーション回路７１，７２が含まれる。郵便物封書１００に充てられる文書１３は、例えば、上部アキュムレーション回路７１内で束に重ねられる一方で、対応する封筒１４は下部アキュムレーション回路７２内で待機する。上部アキュムレーション回路７１は、表示例では、封筒１４の様式にするために重ねられる文書１３または文書１３の包みの折畳み装置７３が追加されている。２つのアキュムレーション回路７１，７２は折り込み文書１３がまだ形成されていない封筒１４上に配置される折込み装置８内で合流する。
【００３４】
折込み装置８には折込み文書１３周囲の封筒１４の折畳み装置８０が含まれる。搬送ベルトコンベヤー８３によりある場所から次の場所へと流れる折込み文書１３に、封筒１４の閉込み前に追加される付加文書１８，１９が貯蔵される１台または複数台の貯蔵庫８１，８２が追加可能である。勿論、これらの貯蔵庫８１，８２は作成機械１のその他の場所に配置することも可能である。
【００３５】
非繰り返し型の実施形態では、アキュムレーター装置７には文書１３の折畳み装置が含まれないとともに、折込み装置８は必要な追加文書１８，１９と共にまたはこれら文書の周囲での文書１３と封筒１４の同時折込みのために設置される。
【００３６】
閉じ込み区域Ｄには特に、郵便物封書１００の閉じ込み用の封筒１４の折り返し１６，１７の糊付けと折畳み装置９が含まれる。この糊付けと折畳み装置９には、主に、
封筒１４の背の上または下のこれらの横方向折り返し１６の折畳み用に設置される折畳み斜面９１，９２を追って封筒１４の横方向折り返し１６上に糊剤を付けるために設置される糊剤導管９０が含まれる。この装置には、郵便物封書１００を封緘する封筒１４の背上のこの閉じ込み折り返し１７の折畳み用に設置される、折畳み斜面９４，９５を追って閉じ込み折り返し１７上にのりを付けるために設置されるのり剤導管９３も含まれる。糊付けと折畳みの間の郵便物封書１００は、搬送ベルトコンベヤー９６により次々と別の場所に搬送された後、貯蔵区域Ｅに向けて送られ、そこで出荷区域（図示されず）に向けて発送されるかあるいは発送されるまで蓄えられる。計重装置と組み合わされた郵便物封書１００の切手貼り装置（図示されず）が貯蔵区域Ｅに組込可能である。同様に、例えば、封筒１４上の印刷コード読取り用に設置されるバーコード等のＯＭＲ，ＯＣＲタイプのカメラによるチェック装置（図示されず）が、郵便物封書１００の完全性確認用にこの作成機械１に追加可能である。
【産業上の利用可能性】
【００３７】
ＡからＥまでのこれらの作業区域は、その構造と組立てを容易にする独立したユニットから構成されることにより、各利用者に合った構成により作成機械１全体の利用に大きな柔軟性が与えられるのが好ましい。同様に、これらのユニットは、図１に示されるように連続作成ラインを形成するよう順次、連続して組合せ可能であるか、あるいは、例えば、印刷区域Ａのユニットとして、ある部分のユニットがその他のユニットと分離されて、断続的ラインを形成することも可能である。
【００３８】
作成機械１の運転は、文書１３および封筒１４の特定を目的にロール紙上１０あるいは紙帯１１上の印刷指標の検知用に設置されるピックアップにより伝達される信号により補完される等によって、処理されるべき紙帯の外形１２に対応する情報プログラムを使用する中央制御装置（図示されず）により確保される。この情報プログラムにより、各郵便物封書向けの文書と封筒の数と様式が変動可能かつプログラム化可能なデータとなることにより、機械的作成の柔軟性が大きくなりえて、個人的であると同時に唯一であるあらゆるタイプの郵便物封書の作成が可能となる。
【００３９】
本発明は説明された実施例に限定されず、付録の請求項に定められる保護の範囲にとどまる限り専門家にとって明白なあらゆる変更ならびに変型例にも拡張される。
【図面の簡単な説明】
【００４０】
本発明およびその利点は、付録図面を参照して非限定的な例として与えられるある実施形態に関する次の説明によりより詳しく明らかになろう。すなわち、
【００４１】
【図１】本発明による作成機械が模式的に表される。
【図２Ａ】それぞれ１本の文書帯ならびに２本の文書帯と封筒とが相互に順次印刷される２つのロール紙の上面図である。
【図２Ｂ】それぞれ１本の文書帯ならびに２本の文書帯と封筒とが相互に順次印刷される２つのロール紙の上面図である。
【図１】
2009502668.tif 000003
【図２Ａ】
2009502668.tif 000004
【図２Ｂ】
2009502668.tif 000005
【国際調査報告】
2009502668.tif 000006
2009502668.tif 000007
2009502668.tif 000008
2009502668.tif 000009